(57)【特許請求の範囲】
【請求項１】
広告付きクーポンによる広告依頼を受け付けるサーバーと、当該サーバーと通信可能なプリンターと、を有するオンデマンド広告システムであって、
前記サーバーは、
インターネット上に開設したオンデマンド広告サイトを介して、前記広告付きクーポンによる広告依頼のデータを受け付ける広告依頼受付部と、
前記受け付けた広告依頼のデータに基づき、前記広告付きクーポンを発行させるためのクーポン発行命令を前記プリンターに送信するクーポン発行命令を生成して前記プリンターに送信するクーポン発行制御部と、
前記プリンターから前記広告付きクーポンが付されたクーポン付き商品の販売実績データを受信すると、当該販売実績データを前記広告依頼のデータと関連づけて管理する販売実績管理処理を行う実績データ管理部と、を備え、
前記プリンターは、
前記サーバーと通信を行う通信手段と、前記サーバーから受信した前記クーポン発行命令に基づいて前記広告付きクーポンを印刷する印刷手段と、前記クーポン付き商品の精算を行うときに所定の入力を行うための入力手段と、当該入力手段による入力結果に基づき、前記クーポン付き商品の販売実績データを前記サーバーに送信する販売実績送信手段と、を備えることを特徴とするオンデマンド広告システム。
【請求項２】
請求項１において、
前記広告依頼のデータは、少なくとも、前記広告付きクーポンへの広告内容、前記広告付きクーポンによる特典内容、前記広告付きクーポンが付される対象商品、前記広告付きクーポンの発行数を含み、
前記クーポン発行制御部は、
前記広告依頼のデータに基づき、複数の小売店の中から少なくとも１つを選定して、当該選定した各プリンターに前記クーポン発行命令を送信し、
前記実績データ管理部は、
前記プリンターから受信した前記販売実績データを集計して、前記広告依頼のデータと関連づけて管理し、前記販売実績データを広告主に送信することを特徴とするオンデマンド広告システム。
【請求項３】
請求項２において、
前記実績データ管理部は、前記販売実績データを受信すると、当該販売実績データあるいはその閲覧案内を前記広告主に送信することを特徴とするオンデマンド広告システム。
【請求項４】
請求項１において、
前記プリンターは、前記クーポン付き商品の精算を行うためのＰＯＳシステムと通信可能に構成されており、
前記入力手段において前記所定の入力がなされたことに基づき、前記クーポン付き商品の精算時に付与すべき特典情報を前記ＰＯＳシステムに供給する特典情報供給手段を有することを特徴とするオンデマンド広告システム。
【請求項５】
請求項１において、
前記販売実績送信手段は、前記販売実績データを自動で蓄積し、前記サーバーに自動で送信することを特徴とするオンデマンド広告システム。
【請求項６】
請求項１において、
前記入力手段は、前記クーポン付き商品に付されたバーコードを読み取るバーコードリーダー、もしくは、クーポン処理ボタンであることを特徴とするオンデマンド広告システム。
【発明の詳細な説明】
【技術分野】
【０００１】
本発明は、商品に貼る広告付き値引シールによる広告を広告主の希望に応じて小売店で実施させるための広告システムおよびこのような広告システムに用いるプリンターに関する。
【０００２】
小売店などの販売現場で行う広告手段として、広告付き値引きシールを商品のパッケージに直接貼って販売する方法（いわゆるオンパッククーポン）が用いられている。特許文献１には、この種の広告付き値引シールが開示されている。従来、このような手段で広告を実施するときは、広告を企画した運営主が広告主を募集してクーポンシール（広告付き値引きシール）を発行し、小売店などの販売現場にクーポンシールを発送して、小売店において商品に貼付して販売している。小売店は、クーポンシールを貼った商品の販売数を集計して運営主に申告する。広告主は、申告された販売数に基づき、クーポンシールにより値引された金額の合計額を広告費用として小売店に支払う。これにより、小売店では値引きによる販促効果が得られ、広告主は広告が消費者に注目されるようにすることができる。
【０００３】
ここで、オンパッククーポンに用いるクーポンシールは、通常、運営主が印刷業者等に発注して作成しているため、発行枚数の下限数が大きい。このため、販促費に余裕がある広告主でないと広告費用を負担できず、運営主にとっては広告主がみつかりにくく、広告主にとっては広告費用がかかりすぎるという問題点があった。
【０００４】
オンパッククーポンによる広告を行うためのクーポンシールを少ない枚数でも発行できるようにするためには、運営主側でクーポンシールの仕様を決定し、これを小売店に設置したプリンターで指定した数だけ印刷させることが考えられる。特許文献２には、小売店に設置したプリンターで商品に貼る広告シールを印刷する方法が開示されている。特許文献２の広告印刷方法は、小売店に設置したプリンターと広告システムの管理者のサーバーとをインターネットを介して通信可能にしておき、広告主が管理者のサーバーへアクセスして条件を指定して広告を依頼すると、サーバーが依頼条件に合致した小売店を選定する。そして、広告主がこれに同意すると、選定された小売店のプリンターへサーバーから広告情報を送信する。小売店では、受信した情報に基づき、商品の包装に貼る広告シールをプリンターで印刷する。
【先行技術文献】
【特許文献】
【０００５】
【特許文献１】特開２０１０−６７２４２号公報
【特許文献２】特開２００２−８３２２０号公報
【発明の概要】
【発明が解決しようとする課題】
【０００６】
オンパッククーポンによる広告を実施するとき、従来は、小売店においてクーポンシールが指定した商品に実際に貼り付けられて販売されているかどうかを運営主や広告主が確認することまでは行っておらず、クーポンシールによる広告の実施は小売店に一任されている。従って、広告主は、配布したクーポンシールが指定した商品に実際に貼り付けられて売られていることの確証を得られなかった。また、販売数は小売店の自己申告であるため、申告された数だけ実際に売れたかどうかの確証も得られなかった。
【０００７】
すなわち、従来のオンパッククーポンの実施形態では、広告を付す商品とシールに印刷した広告内容とが確実に紐付けされていないため、広告効果とこれを付した商品との関連性を正確に把握することができなかった。また、自己申告でしか販売数を把握できないため、売れ残った商品に貼ったクーポンシールの分まで広告費を支払っているおそれがあった。更に、小売店側においても、クーポンシールを貼った商品の精算時に値引き処理を行わなければならないため、ＰＯＳシステム側に値引額を設定するか、あるいは、レジにおいて値引額を手入力する作業が必要であった。また、販売数を集計しなければならなかった。よって、小売店の負担も大きく、小売店の業務効率が低下するという問題もあった。
【０００８】
特許文献２の広告印刷方法は、広告シールを小売店のプリンターで印刷できるため、発行数を自由に設定できるものの、オンパッククーポンのように広告シールを貼った商品の販売時に値引きを行う広告形態を想定したものではなく、販売数に応じた広告費を支払う広告手法までも想定したものではない。このため、広告シールを印刷した小売店において、販売数の集計を容易化することや、どの商品に広告が貼り付けられているかの実態を正確に把握して集計精度を高めることまで配慮したものにはなっていない。
【０００９】
本発明の課題は、このような点に鑑みて、広告付きクーポン（広告付き値引シール）による広告を小口からでも実施可能にして自由度を高めると共に、このクーポンが実際にどの商品に付されて販売されたか、および、その販売数などの実績データを精度良く集計することによって適正な支出で広告を実施できるようにし、更に、小売店における業務効率の低下を抑制することが可能な広告システムおよびこれに用いる装置（プリンター）を提案することにある。
【課題を解決するための手段】
【００１０】
上記の課題を解決するために、本発明のオンデマンド広告システムは、
広告付きクーポンによる広告依頼を受け付けるサーバーと、当該サーバーと通信可能なプリンターと、を有するオンデマンド広告システムであって、
前記サーバーは、
インターネット上に開設したオンデマンド広告サイトを介して、前記広告付きクーポンによる広告依頼のデータを受け付ける広告依頼受付部と、
前記受け付けた広告依頼のデータに基づき、前記広告付きクーポンを発行させるためのクーポン発行命令を前記プリンターに送信するクーポン発行命令を生成して前記プリンターに送信するクーポン発行制御部と、
前記プリンターから前記広告付きクーポンが付されたクーポン付き商品の販売実績データを受信すると、当該販売実績データを前記広告依頼のデータと関連づけて管理する販売実績管理処理を行う実績データ管理部と、を備え、
前記プリンターは、
前記サーバーと通信を行う通信手段と、前記サーバーから受信した前記クーポン発行命令に基づいて前記広告付きクーポンを印刷する印刷手段と、前記クーポン付き商品の精算を行うときに所定の入力を行うための入力手段と、当該入力手段による入力結果に基づき、前記クーポン付き商品の販売実績データを前記サーバーに送信する販売実績送信手段と、を備えることを特徴としている。
【００１１】
本発明は、このような構成により、オンデマンド広告サイトを介して、広告付きクーポンによる広告の依頼を小口からでも受注して実施できるため、オンデマンド広告システム
の運営者にとっては、広告主の募集が容易となり、自由度の高い広告手段を提供できる。
また、広告主にとっては、多額の販促費用を準備できなくても広告付きクーポンによる広告の実施が可能となる。また、サーバーにおいて広告付きクーポンによる広告の実施内容（発行数、実施先）を管理し、更に、実施結果（小売店でのクーポン付き商品の販売実績）についてもプリンターによる自動蓄積結果を受信して一元管理できるため、広告主に正確な実績データを報告でき、広告主は実態に即した適切な広告費用で広告を実施できる。また、正確な実績データに基づいて広告の効果を分析できるため、更に効果的な広告を打てるようになる。加えて、販売実績の蓄積およびサーバーへの報告をプリンターが自動で行うため、小売店における負担を軽減でき、業務効率の低下を抑制できる。従って、運営主、広告主、小売店のそれぞれにとってメリットの大きいオンデマンド広告システムを提供できる。
また、本発明は、このように、プリンターがサーバーと通信を行い、サーバーからの命令によって広告付きクーポンの発行を行うため、このプリンターを小売店に設置することにより、広告付きクーポンを広告主の要望に応じて小売店において必要数だけ印刷できる。
従って、広告付きクーポンによる広告の依頼を小口からでも受注でき、多額の販促費用を準備できない広告主であっても広告付きクーポンによる広告の実施が可能となる。よって、自由度の高い広告手段を提供できる。また、プリンターにおいてクーポン付き商品の販売実績（広告付きクーポンが付された状態で販売された商品の種類、販売数など）を自動で蓄積し、蓄積結果をクーポン発行命令を生成するサーバーに自動送信するため、サーバーで広告の実施に関する情報を一元管理でき、広告主に正確な実績データを報告できる。従って、広告主は実態に即した適切な広告費用で広告を実施できる。また、正確な実績データに基づいて広告の効果を分析できるため、更に効果的な広告を打てるようになる。加えて、販売実績の蓄積およびサーバーへの報告をプリンターが自動で行うため、小売店における負担を軽減でき、業務効率の低下を抑制できる。
【００１２】
本発明において、前記クーポン付き商品の精算を行うためのＰＯＳシステムと通信可能に構成されており、前記入力手段において前記所定の入力がなされたことに基づき、前記クーポン付き商品の精算時に付与すべき特典情報を前記ＰＯＳシステムに供給する特典情報供給手段を有することが望ましい。このように、クーポン付き商品の精算時に、小売店のＰＯＳシステムにクーポンによる特典情報を自動転送することにより、小売店においてＰＯＳシステムに値引き情報を設定したり、レジにおいて値引額を手入力する必要がなくなる。従って、クーポン付き商品の精算業務効率を向上させることができ、小売店の負担を軽減できる。また、クーポン付き商品の購入客に、広告主が設定した通りの特典を付与でき、依頼どおりの広告を実施できる。
【００１３】
また、本発明において、前記販売実績送信手段は、前記販売実績データを自動で蓄積し、前記サーバーの実績データ管理部に自動で送信することができる。
【００１４】
ここで、前記入力手段として、前記クーポン付き商品に付されたバーコードを読み取るバーコードリーダー、もしくは、クーポン処理ボタンを用いることができる。このように、バーコードリーダーで商品のバーコードを読み取った場合にクーポン付き商品の精算として取り扱うことにより、クーポン付き商品の販売実績を正確に蓄積できる。また、クーポン付き商品の精算時にクーポン処理ボタンを操作する場合においても、簡単な操作でクーポン付き商品の販売実績を正確に蓄積できる。従って、正確かつ簡単に、クーポン付き商品の販売実績を把握できる。
【００１７】
本発明のオンデマンド広告システムにおいて、前記広告依頼のデータは、少なくとも、前記広告付きクーポンへの広告内容、前記広告付きクーポンによる特典内容、前記広告付きクーポンが付される対象商品、前記広告付きクーポンの発行数を含み、前記クーポン発行制御部は、前記クーポン発行命令処理において、前記広告依頼のデータに基づき、複数の小売店の中から少なくとも１つを選定して、当該選定した各プリンターに前記クーポン発行命令を送信し、前記実績データ管理部は、前記販売実績管理処理において、各プリンターから受信した前記販売実績データを集計して、前記広告依頼のデータと関連づけて管理し、前記販売実績データを広告主に送信することができる。このように、サーバーにおいて多数の小売店の中から条件に合った小売店を選定することにより、広告主の要望に的確に対応できるとともに、様々な広告依頼に柔軟に対応できる。よって、自由度が高く、効果的な広告手段を広告主に提供できる。また、サーバーにおいて複数の小売店での実施結果を自動集計できるため、集計の労力を軽減できる。
【００１８】
また、本発明のオンデマンド広告システムにおいて、前記実績データ管理部は、前記販売実績データを受信すると、当該販売実績データあるいはその閲覧案内を前記広告主に送信することが望ましい。このようにすると、広告の実施結果を迅速に報告できると共に、運営主の負担を軽減できる。
【発明の効果】
【００１９】
本発明によれば、広告付きクーポンを広告主の要望に応じて小売店において必要数だけ印刷できるため、広告付きクーポンによる広告の依頼を小口からでも受注でき、自由度の高い広告手段を提供できる。また、プリンターにおいてクーポン付き商品の販売実績（広告付きクーポンが付された状態で販売された商品の種類、販売数など）を自動で蓄積し、蓄積結果をクーポン発行命令を生成するサーバーに自動送信するため、サーバーで広告の実施に関する情報を一元管理でき、広告主に正確な実績データを報告できる。従って、広告主は実態に即した適切な広告費用で広告を実施できる。また、正確な実績データに基づいて広告の効果を分析できるため、更に効果的な広告を打てるようになる。加えて、販売実績の集計およびサーバーへの報告をプリンターが自動で行うため、小売店における負担を軽減でき、業務効率の低下を抑制できる。
【図面の簡単な説明】
【００２０】
【図１】本発明を適用したオンデマンド広告システムのシステム構成図である。
【図２】広告付きクーポンおよびこれを貼った商品の説明図である。
【図３】サーバーにおける制御系の概略構成を示すブロック図である。
【図４】プリンターにおける制御系の概略構成を示すブロック図である。
【図５】オンデマンド広告システムによる広告実施のための処理および手続きのフローチャートである。
【発明を実施するための形態】
【００２１】
以下に、図面を参照して、インターネット上に開設されたオンデマンド広告サイトにおいて広告付きクーポンによる広告依頼を受け付けて、小売店への広告の実施依頼および小売店による広告の実施結果をサーバーで一元管理するオンデマンド広告システムおよびこれに用いるプリンターに本発明を適用した場合の実施の形態を説明する。
【００２２】
（オンデマンド広告システム）
図１は本発明を適用したオンデマンド広告システムのシステム構成図である。図１に示すように、オンデマンド広告システム１は、このシステムを運営する運営主の管理下にあるサーバー２と、インターネットなどの通信網を介してサーバー２と通信可能に設置されたプリンター３とを有している。各プリンター３は、広告を付した商品の販売を実施する各小売店４に設置されている。各小売店４には、ＰＯＳレジ端末５およびこれを統括するＰＯＳサーバー６を備えるＰＯＳシステム７が設けられており、各プリンター３は、ＰＯＳレジ端末５あるいはＰＯＳサーバー６と有線あるいは無線によるネットワークを介して通信可能に構成されている。
【００２３】
（広告付きクーポン）
図２は広告付きクーポンおよびこれを貼った商品の説明図である。広告付きクーポン８は、定型の粘着ラベルの表面に、広告情報８ａおよび特典情報８ｂ（値引き額など）を印刷したクーポンシールである。広告付きクーポン８は、各小売店４に設置されたプリンター３が、サーバー２からのクーポン発行命令に基づいてクーポン用のラベル紙への印刷を行うことにより、各小売店４において必要数だけオンデマンドで発行される。小売店４では、広告主が指定した商品に広告付きクーポン８が貼付されたクーポン付き商品９を販売する。小売店４では、クーポン付き商品９を販売するとき、ＰＯＳレジ端末５で購入代金を精算する際に購入者に対して特典を付与する。例えば、特典情報８ｂとして値引き額を印刷した場合には、ＰＯＳレジ端末５あるいはＰＯＳサーバー６において購入代金の値引き処理を行う。
【００２４】
（サーバー）
図３はサーバー２における制御系の概略構成を示すブロック図である。この図に示すように、サーバー２は、ＣＰＵ、ＲＯＭ、ＲＡＭなどを備える制御部２０を中心に構成されており、インターネットを介してプリンター３と通信を行うための通信モジュール２１、キーボードやマウスなどによる入力を行うための入力部（図示省略）、液晶ディスプレイなどの表示部（図示省略）、等を備える汎用のコンピューター装置である。
【００２５】
制御部２０は、インターネット上に開設したオンデマンド広告サイトにおける表示データを管理するウェブページ管理部２２と、オンデマンド広告サイト上での広告主募集に対して広告主から送信された広告依頼に対する受付処理を行う広告依頼受付部２３を備えている。また、制御部２０は、広告依頼に基づいてクーポン発行命令を生成してプリンター３に送信するクーポン発行制御部２４と、プリンター３から受信した販売実績データを広告主から受信した広告依頼データと関連付けて管理する実績データ管理部２５を備えている。以下に説明するウェブページ管理部２２、広告依頼受付部２３、クーポン発行制御部２４、実績データ管理部２５による各機能は、それぞれ、制御部２０のＲＯＭに記憶された、あるいは、ハードディスク等の補助記憶装置からＲＡＭにロードされた制御プログラムに基づくＣＰＵ等の処理によって実現される。
【００２６】
ウェブページ管理部２２は、サーバー２に、広告付きクーポン８による広告主の募集をオンデマンド広告サイト上で行うための所定の入力が行われたことに基づき、オンデマンド広告サイトにおいて、広告主の募集表示を行う。
【００２７】
広告依頼受付部２３は、オンデマンド広告サイトにアクセスした広告主が運営主宛に送信した広告依頼のデータをサーバー２が受信すると、このデータに必要な情報が含まれているかを判定すると共に、依頼内容について実施可能か否か判定する処理を行う。例えば、広告の実施に必要な情報として、依頼主（広告主）についての情報と共に、広告付きクーポン８の発行数、広告付きクーポン８に印刷する印刷内容（広告内容および特典内容）、広告付きクーポン８を貼付する対象商品、実施期間（クーポン付き商品の販売期間）などの情報が含まれるか否かを判定する。そして、これらの情報が含まれている場合には、登録している小売店４の情報および各小売店４の状況に基づき、依頼どおりの実施が可能か否かを判定し、可能である場合には、この依頼を受け付ける処理を行う。例えば、この広告依頼の送信主（広告主）に広告の実施契約書などを送信し、契約条件に同意するか否かを問い合わせる。一方、依頼内容どおりには実施できないと判断した場合には、その旨を広告依頼の送信主（広告主）に通知する。
【００２８】
クーポン発行制御部２４は、サーバー２が広告主から広告の実施に関する契約条件に同意する旨の返信を受信した場合に、広告依頼に基づき、登録した小売店４の中から依頼条件（広告の実施地域、対象とする購買客層など）に合致する小売店４を選定する。そして、選定した各小売店４における広告付きクーポン８の発行数などを決定して、各小売店４のプリンター３に対して、クーポン発行命令を送信する。クーポン発行命令には、少なくとも、広告付きクーポン８の発行数、および、広告付きクーポン８に印刷する印刷内容（広告内容および特典内容）が含まれている。ここで、広告の実施には、広告付きクーポン８を貼付する対象商品、実施期間（クーポン付き商品の販売期間）、クーポン付き商品の購入客に与える特典情報（値引き情報など）などの情報も必要であるため、サーバー２は、これらの情報をクーポン発行命令に含めてプリンター３に送信する。
【００２９】
実績データ管理部２５は、サーバー２が、小売店４のプリンター３から広告付きクーポン８の販売実績についての集計データ（販売実績データ）を受信した場合に、この販売実績データを、クーポン発行命令の元情報となった広告依頼のデータと関連付けて管理すると共に、広告主に、販売実績を報告する処理を行う。例えば、広告主に販売実績データを送信する処理、あるいは、販売実績データをオンデマンド広告サイト上で閲覧可能にするとともにその閲覧方法などの案内情報を広告主に送信する処理を行う。ここで、実績データ管理部２５は、複数の小売店４において同じ広告付きクーポン８による広告を実施させた場合には、これらを集計して管理し、集計結果を広告主に送信もしくは閲覧させる処理を行う。
【００３０】
（プリンター）
図４はプリンター３における制御系の概略構成を示すブロック図である。本実施形態のプリンター３は、ＣＰＵ、ＲＯＭ、ＲＡＭなどを備える制御部３０と、上述したクーポン用のラベル紙への印刷を行うための印刷機構３１（印刷手段の一部）と、商品に付されたバーコードを読み取るためのバーコードリーダー３２（入力手段の一部）等を備えている。制御部３０は、通信モジュール３３（通信手段）を介してインターネットに接続されており、インターネットを介してサーバー２と通信を行う。また、制御部３０の出力側には、小売店４のＰＯＳレジ端末５あるいはＰＯＳサーバー６が接続されている。
【００３１】
制御部３０は、印刷機構３１における印刷動作を制御する印刷制御部３４（印刷手段の一部）、バーコードリーダー３２による読取動作を制御するバーコード読取制御部３５（入力手段の一部）、ＰＯＳシステム７に対してクーポンによる特典情報（値引き情報など）を供給する特典情報供給部３６（特典情報供給手段）、クーポン付き商品９の販売実績データを蓄積してサーバー２に送信する販売実績送信部３７（販売実績送信手段）、等を備えている。以下に説明する印刷制御部３４、バーコード読取制御部３５、特典情報供給部３６、販売実績送信部３７による各機能は、それぞれ、制御部３０のＲＯＭに記憶された、あるいは、ハードディスク等の補助記憶装置からＲＡＭにロードされた制御プログラムに基づくＣＰＵ等の処理によって実現されている。
【００３２】
印刷制御部３４は、プリンター３がサーバー２から送信されたクーポン発行命令を受信した場合に、当該クーポン発行命令に基づき、広告付きクーポン８を印刷するための印刷データを生成する。そして、この印刷データに基づいて印刷機構３１を制御して、サーバー２によって指定された数および内容の広告付きクーポン８を印刷する。ここで、クーポン発行命令には、広告付きクーポン８の貼付対象の商品名、実施期間（クーポン付き商品の販売期間）などの小売店４側での作業に必要な情報が含まれているため、プリンター３は、これらの情報を、広告付きクーポン８の印刷実行時に同じ用紙の余白に印刷するか、あるいは、別紙に印刷するなどの処理を行うこともできる。この印刷物は、サーバー２から小売店４に対して広告付きクーポン８による広告の実施方法を指示するための指示書として扱うことができる。
【００３３】
バーコード読取制御部３５は、バーコードリーダー３２において読取操作が行われると、商品に付されたバーコードを読み取って商品コードなどの情報を抽出する。本実施形態では、プリンター３のバーコードリーダー３２はＰＯＳレジ端末５の近傍に設置されている。小売店４のレジ担当者は、商品の購入代金の精算を行うにあたって、精算対象の商品がクーポン付き商品９であった場合には、この商品に付されたバーコードをバーコードリーダー３２で読み取る作業を行う。
【００３４】
特典情報供給部３６は、プリンター３がサーバー２から送信されたクーポン発行命令を受信した場合に、このクーポン発行命令に含まれる特典情報（例えば、値引き情報）を、ＰＯＳシステム７へ供給すべき情報として記憶しておく。そして、バーコード読取制御部３５によるバーコードの読取処理が行われた場合に、この特典情報をＰＯＳシステム７へ供給する。例えば、読み取った商品コードと値引き情報とを対応づけてＰＯＳシステム７へ供給する。ＰＯＳシステム７では、受け取った特典情報に基づき、精算処理において特典を付与する。例えば、特典情報供給部３６から値引き情報が供給された場合には、これらの情報に従い、精算金額を減算して精算処理を実行する。
【００３５】
販売実績送信部３７は、バーコードリーダー３２による読取処理が行われ、且つ、これに基づいて特典情報供給部３６からＰＯＳシステム７への特典情報の供給が行われた場合に、販売実績データを蓄積する処理を行う。例えば、読み取った商品コードを蓄積する。あるいは、読み取った商品コードと特典情報とを対応付けたデータを蓄積する。また、販売数をカウントするカウンタに１を加算する処理を行うなどの蓄積方法でもよい。販売実績送信部３７は、クーポン付き商品９の精算時にこのような処理が行われる毎に販売実績データを蓄積してゆき、クーポン発行命令に含まれる広告実施期間（クーポン付き商品９の販売期間）の終了時に、あるいは、所定のタイミングで、サーバー２に販売実績データを送信する。
【００３６】
（オンデマンド広告システムによる広告実施のための処理および手続き）
図５は、上記構成のオンデマンド広告システム１による広告主の募集から広告の実施、結果報告までの間に行われる処理、および、この間に運営主、広告主、小売店４が行う手続きの流れを示すフローチャートである。まず、ステップＳ１において、オンデマンド広告サイトの運営主は、サーバー２において必要な入力を行うことにより、オンデマンド広告サイトにおいて広告主の募集表示を行う。次に、ステップＳ２において、この表示を見た広告主は、必要事項（クーポンへの広告表示内容、クーポンによる値引き額、クーポンの発行数、実施期間など）をオンデマンド広告サイトの広告依頼ページに入力して運営主に送信することにより、広告の実施申し込みを行う。
【００３７】
ステップＳ３では、サーバー２において、広告依頼受付部２３により、上述した広告依頼の受付処理が行われる。広告依頼受付部２３によって広告依頼が実施可能であると判定され、広告主が、サーバー２からの問い合わせに対して提示された契約条件に同意する旨を返信し、サーバー２がこれを受信すると、ステップＳ４に進む。ステップＳ４では、クーポン発行制御部２４により、上述した依頼条件に合致する小売店４の選定、および、選定した各小売店４のプリンター３に対するクーポン発行命令の送信が行われる。
【００３８】
続いて、ステップＳ５では、プリンター３が受信したクーポン発行命令に基づき、広告の実施準備が行われる。具体的には、印刷制御部３４による広告付きクーポン８の印刷が行われる。なお、上述したように、このとき、プリンター３は、広告付きクーポン８を貼った商品の販売に関する指示書を同時に印刷することもできる。小売店４では、この指示書、あるいは、他の方法で小売店４に伝達された指示に基づき、発行した広告付きクーポン８を指定された商品に貼り付ける作業を行い、クーポン付き商品９の販売準備を行う。
【００３９】
小売店４においてクーポン付き商品９の販売を行い、クーポン付き商品９が購入された場合には、ステップＳ６において、レジ担当者によるバーコードの読取操作に基づき、バーコード読取制御部３５による商品コードの抽出が行われる。続いて、この操作に基づき、ステップＳ７に進む。ステップＳ７では、特典情報供給部３６による上述したＰＯＳシステム７への特典情報の供給が行われ、ＰＯＳシステム７において、特典を付与するための処理を行う。例えば、クーポン付き商品９の精算金額の値引き処理が行われる。続いて、ステップＳ８に進み、プリンター３において、販売実績送信部３７による上述した販売実績データの蓄積処理が行われる。
【００４０】
小売店４では、クーポン付き商品９が購入される毎に、レジ担当者によるバーコードリーダー３２による商品コードの読取操作が行われ、ステップＳ６〜Ｓ８が行われる。これにより、クーポン付き商品９が購入される毎に、ＰＯＳシステム７では値引き処理などが行われ、プリンター３は、販売実績データを蓄積してゆく。プリンター３は、クーポン付き商品９の販売期間が終了すると、ステップＳ９に進む。ステップＳ９では、販売実績送信部３７が、蓄積済みの販売実績データをサーバー２に送信し、送信が完了すると、販売実績データをリセットする。なお、ステップＳ９の処理は、クーポン付き商品９の販売期間の終了時だけでなく、各営業日の売上げの集計時などに、プリンター３が自動で定期的に行うようにすることもできる。また、小売店４の店員がプリンター３の実績データ送信ボタンを操作した場合に、その時点での蓄積データを随時送信してもよい。
【００４１】
続いて、ステップＳ１０では、サーバー２が、プリンター３から販売実績データを受信したことに基づき、実績データ管理部２５が、受信した販売実績データを広告依頼と関連付ける処理を行うと共に、広告主に対して、販売実績を報告する処理を行う。例えば、クーポン付き商品９の販売期間の終了時に全ての販売実績データを受信した場合には、実績データ管理部２５が、これを広告主に送信する処理を行う。あるいは、この販売実績データをオンデマンド広告サイト上で閲覧可能にして、広告主に閲覧案内を送信する。プリンター３から、定期的に、あるいは、随時販売実績データが送信されてきた場合には、これを定期的に広告主に報告するか、あるいは、クーポン付き商品９の販売期間の終了時に集計して報告することができる。また、複数の小売店４から販売実績データを受信した場合には、これらを集計して報告する。
【００４２】
以上のように、本実施形態のオンデマンド広告システム１を構成するプリンター３は、システムの運営主のサーバー２と通信を行い、サーバー２からのクーポン発行命令によって広告付きクーポン８の発行を行うため、このプリンター３を小売店４に設置することにより、広告付きクーポン８を広告主の要望に応じて小売店４において必要数だけ印刷できる。従って、オンデマンド広告システム１の運営主は、広告付きクーポン８による広告の依頼を小口からでも受注でき、広告主の募集のための営業が容易である。また、広告主にとっては、多額の販促費用を準備できなくても広告付きクーポンによる広告の実施が可能となり、自由度の高い広告手段の提供を受けられる。
【００４３】
また、本実施形態では、プリンター３においてクーポン付き商品９の販売実績を自動で蓄積し、蓄積結果をサーバー２に自動送信するため、サーバー２で広告の実施に関する情報を一元管理でき、広告主は正確な実績データの報告を得られる。従って、広告主は実際に売れたクーポン付き商品９に対する値引き額を負担するだけで済み、実態に即した適切な広告費用で広告を実施できる。また、正確な実績データに基づいて広告の効果を分析できるため、更に効果的な広告を打てるようになる。
【００４４】
加えて、販売実績データの蓄積およびサーバー２への報告をプリンター３が自動で行うため、小売店４における負担を軽減できる。また、小売店４のＰＯＳシステム７に対してプリンター３から特典情報（値引き情報）を自動転送できるため、小売店４においてＰＯＳシステム７に値引き情報を設定したり、レジにおいて値引額を手入力するなどの特典付与作業をその都度行う必要がなくなる。従って、クーポン付き商品９の精算業務効率の低下を抑制できると共に、広告主が設定した通りの特典（値引きなど）を付与できる。更に、サーバー２において販売実績データの一元管理および広告主への報告を自動で行うことにより、運営主の負担も軽減できる。
【００４５】
（改変例）
（１）上記実施形態では、プリンター３にバーコードリーダー３２を設けて、クーポン付き商品９からバーコードを読み取ったことに基づいて販売実績データの蓄積およびＰＯＳシステム７における値引き処理を行っていたが、プリンター３にクーポン処理ボタンを設けておき、クーポン付き商品９の精算時にこのボタンを押すことにより、ＰＯＳシステム７における値引き処理および販売実績データの蓄積を行う構成としてもよい。
【００４６】
（２）上記実施形態では、プリンター３をインターネットに接続しておき、プリンター３から販売実績データをサーバー２に送信していたが、ＰＯＳサーバー６がインターネットに接続されている場合には、ＰＯＳサーバー６を介してサーバー２に販売実績データを送信することもできる。また、この場合には、ＰＯＳサーバー６に蓄積されている売上げ管理データを利用して、クーポン付き商品９の精算時に行ったクーポンによる値引き処理および値引き対象商品の履歴データを販売実績データとして取り扱い、このデータをプリンター３の販売実績送信部３７からの送信命令に基づいてサーバー２に送信させることができる。
【００４７】
（３）上記実施形態では、広告付きクーポン８による特典として購入代金の値引きを行っているが、他の特典を付与することもできる。例えば、精算額に応じてポイントを付与する場合には、特典ポイントを付与したり、ポイントの付与率を増大させることができる。また、精算時に、特典商品との引換券や、割引券などをレシートと共に発行することもできる。
【符号の説明】
【００４８】
１…オンデマンド広告システム、２…サーバー、３…プリンター、４…小売店、５…ＰＯＳレジ端末、６…ＰＯＳサーバー、７…ＰＯＳシステム、８…広告付きクーポン、８ａ…広告情報、８ｂ…特典情報、９…クーポン付き商品、２０…制御部、２１…通信モジュール、２２…ウェブページ管理部、２３…広告依頼受付部、２４…クーポン発行制御部、２５…実績データ管理部、３０…制御部、３１…印刷機構（印刷手段の一部）、３２…バーコードリーダー（入力手段の一部）、３３…通信モジュール（通信手段）、３４…印刷制御部（印刷手段の一部）、３５…バーコード読取制御部（入力手段の一部）、３６…特典情報供給部（特典情報供給手段）、３７…販売実績送信部（販売実績送信手段）。
【図１】
0005846280.tif 000002
【図２】
0005846280.tif 000003
【図３】
0005846280.tif 000004
【図４】
0005846280.tif 000005
【図５】
0005846280.tif 000006